(57)【要約】【課題】  腰水用の水盤及び植木鉢用の水受容器の灌水または観賞魚などの飼育用水槽に水足しを自動で行うと共にそれぞれの各用途に転用できる水足し注水用水位調整装置を得ること。【解決手段】  貯水容器からサイホン管及び水位調節管で水受容器の管理水位を設定し、該貯水容器の最低水位位置が、上記管理水位より上位となるように該貯水容器を貯水容器配置台で所定位置に配置し、腰水用植木鉢または植木鉢の水受容器または観賞魚などの飼育用水槽用の、灌水用または水槽の水足し用として使用し、また、貯水容器の高さ位置を適宜変更可能なように、貯水容器配置台内部の載置部を位置変更可能に設け、さらに、浸潤する水受容器または水受容器に設けられた毛細管現象を有する灌水紐であって、それらから植木鉢に灌水できるように該植木鉢の用土の中若しくは近傍に該水受容器を設けている。【選択図】図１
2011139695.tif 000002
【特許請求の範囲】
【請求項１】
貯水容器にサイホン管の一方端を挿入すると共に他端の排水口を、水槽または水受け容器に注水できるようにそれぞれ配置し、該水槽または水受け容器の適正水位を管理水位とし、該管理水位を設定する水位調節管の先端を、該水槽または水受け容器の管理水位に対応する所定位置に配置すると共に該基端側を上記貯水容器の空間位置に挿通し、また該貯水容器の最低水位位置を上記管理水位より上位となるように貯水容器載置台内で該貯水容器を載置することを特徴とした水槽または水受け容器用の水足し注水用水位調整装置。
【請求項２】
請求項１記載の貯水容器の最低水位が、水槽または水受け容器の管理水位より上位位置で該貯水容器を載置できるように、貯水容器載置台及びその内部に載置部を設けると共に貯水容器の高さ位置を適宜変更可能なように、該載置部の位置を変更可能に設けたことを特徴とする水槽または水受け容器用の水足し注水用水位調整装置。
【請求項３】
請求項１または２記載の管理水位の水槽を、観賞魚などの飼育用水槽としたことを特徴とする水槽または水受け容器用の水足し注水用水位調整装置。
【請求項４】
請求項１または２記載の管理水位の水受け容器を、腰水用の水盤としたことを特徴とする水槽または水受け容器用の水足し注水用水位調整装置。
【請求項５】
請求項１または２記載の植木鉢用の水受け容器として該植木鉢の用土の中、またはその近傍に設け、該水受け容器から植木鉢に灌水できるように、該水受け容器を浸潤する容器体として植木鉢の用土に埋設状に配置し、若しくは毛細管現象を有する灌水紐を該水受け容器と植木鉢に架設状に設けると共に該灌水紐のそれぞれの端部が、水受け容器の水と植木鉢の用土に埋設状に配置するように設けたことを特徴とする水槽または水受け容器用の水足し注水用水位調整装置。
【発明の詳細な説明】
【技術分野】
【０００１】  本発明は、腰水（ここで記載する腰水とは、容器に張った水に植木鉢を所定位置まで浸漬して、浸潤による灌水することを言う。）用の水受け容器（ここで記載する水受け容器とは、水盤または毛細管を有する紐などを通して植木鉢に灌水する該植木鉢の近傍に配置した水を一時留め置く容器を言う）または植木鉢用の水受け容器用または観賞魚などの飼育用水槽の水足し注水用水位調整装置に関する。
【背景技術】
【０００２】  従来、一般市販される植木鉢のように、水道から直結して電動の自動灌水装置またはペットボトルからサイホン管、重力、内圧または毛細管を利用したものなど様々なものが有るが、その植木鉢用は一定時間ごとに注水するもの、また腰水用植木鉢の水受け容器用としては、その水受け容器の水位管理ではなく、管理者が自ら確認して水受け容器に注水していた。【０００３】  また、水生小動物の飼育用水槽用の注水用水位調整装置は、一般的に熱帯魚に見られる水槽などに使用される循環装置での水位管理はあるが、水位が下がると足し水できるものは提供されて無く、管理者が自ら確認して飼育用水槽に水足し注水し、特に、小型の金魚鉢のような水槽用は無く、管理者自らが行っていた。【０００４】  さらに、植木鉢用の水受け容器用の注水は、先行技術の先願例として、貯水タンクから滴下される水で貯水容器内を定液面とし、該貯水容器より下方の位置にトラップ構成容器を配置し、サイホン管の一端は貯水容器に、他端はトラップ構成容器に挿入され、密封容器とサイホン管は通気管で連絡して構成され、外気温変化により密封容器内の膨張収縮により自動でトラップ構成容器外周壁の配管口から配管チューブにより各所に散水する、とした実施例を示す「灌水装置」がある。（例えば、特許文献１参照）【０００５】  加えて、他の先行技術の先願例として、貯蔵容器から流出する液体の流量を貯蔵容器中の液体レベルとは独立して制御する流量レギュレータと、該流量レギュレータから流出する液体をそれが一定量に達するまで蓄積し、この蓄積が生じたときに液体を配給する液体タイミング配給アセンブリとによって作用させる２つの流れ制御段階を用いて、植物に対する散水・栄養分の付与など周期的に液体を配給する、とした実施例を示す「自動液体配給装置」がある。（例えば、特許文献２参照）
【先行技術文献】
【特許文献】
【０００６】
【特許文献１】  特開２０００−１０６７７２
【特許文献２】  特開平８−３７９６３
【発明の概要】
【発明が解決しようとする課題】
【０００７】  上述した従来の植木鉢用は、高価な電動の自動灌水装置からペットボトルを利用した簡易な植木鉢専用ものが提供されているが、それらは、腰水用植木鉢の水受け容器または観賞魚などの飼育用水槽用には転用できないことから簡易に水位管理して、灌水用、水槽の水足し用に使用できるものが求められ、特に熱帯魚など温度調節をしている水槽は、水位が下がると水温管理用のヒーターがむき出しとなり、過熱して火災の原因ともなり危険であり、その改善が求められていた。【０００８】  しかして、上述した先行技術の特許文献１の「灌水装置」は、外気温変化により密封容器内の膨張収縮により自動でトラップ構成容器外周壁の配管口から配管チューブにより各所に散水する事としているので、植木鉢等灌水に使用できるが、上記課題の観賞魚などの飼育用水槽用には水位調整の水位管理が必要な事から転用できず、もっぱら灌水用に特化されるものであった。【０００９】  また、上述した他の先行技術の特許文献２の「自動液体配給装置」は、液体をそれが一定量に達するまで蓄積し、この蓄積が生じたときに液体を配給する液体タイミング配給アセンブリとによって作用させる２つの流れ制御段階を用いて、植物に対する散水・栄養分の付与など周期的に液体を配給するもので、上記文献１と同様、灌水には使用できるが、単に、周期的に液体を配給するもので、水位調整が必要な水位管理はできなかった。
【課題を解決するための手段】
【００１０】  本発明は、上記課題を有効に達成するために、第１の解決手段として、貯水容器にサイホン管を連通すると共に該サイホン管の排水口が水槽または水受け容器に注水できるように設け、該水槽または水受け容器の適正水位を管理水位とし、また該水槽または水受け容器を管理容器と見たときの該管理水位を設定する水位調節管の先端を、該水槽または水受け容器の管理水位に対応する所定位置に配置し、該基端側を上記貯水容器の空間位置に挿通すると共に該貯水容器の最低水位位置を上記管理水位より上位となるように該貯水容器を貯水容器載置台に載置したことで、
灌水用または水槽の水足し用として、腰水用植木鉢または植木鉢の水受け容器、または観賞魚などの飼育用水槽用の水位管理に使用するとしている。【００１１】  また、第２の解決手段は、貯水容器の載置高さであって、該貯水容器の最低水位が、水槽または水受け容器の管理水位より上位位置で載置できるように、貯水容器載置台を設けると共に該貯水容器載置台で、貯水容器の高さ位置を適宜変更可能なように、貯水容器載置台内部の載置部を位置変更可能に設けたことで、
水位管理の高さが違う、腰水用植木鉢または植木鉢の水受け容器または観賞魚などの飼育用水槽の高さに対応させて、貯水容器載置台の高さを適宜変更して使用する事としている。【００１２】  また、第３の解決手段は、管理水位の水槽を、観賞魚などの飼育用水槽としたことで、
観賞魚などの飼育用水槽の水位管理をする事としている。【００１３】  また、第４の解決手段は、管理水位の水受け容器を、腰水用の水盤としたことで、
腰水用の水盤の水位管理をする事としている。【００１４】  また、第５の解決手段は、水受け容器を、植木鉢用の水受け容器として該植木鉢の用土の中若しくは近傍に設け、該水受け容器から植木鉢に灌水できるように、該水受け容器を浸潤する容器体とし、若しくは毛細管現象を有する灌水紐を該水受け容器と植木鉢に架設状に設け、該浸潤する容器体または該灌水紐の一方端が植木鉢の用土の中に配置されるように設けたことで、
植木鉢の灌水管理をする事としている。
【発明の効果】
【００１５】  本発明は、上述したそれぞれの手段によって有効な効果が得られるようにしたもので、特に、貯水容器にサイホン管の一方端を挿入すると共に他端の排水口を、水槽または水受け容器に注水できるようにそれぞれ配置し、該水槽または水受け容器の適正水位を管理水位とし、該管理水位を設定する水位調節管の先端を、該水槽または水受け容器の管理水位に対応する所定位置に配置すると共に該基端側を上記貯水容器の空間位置に挿通し、また該貯水容器の最低水位位置を上記管理水位より上位となるように貯水容器載置台内で該貯水容器を載置する第１の解決手段により、
観賞魚などの飼育用水槽用、灌水用の植木鉢または腰水用植木鉢の水受け容器として、それぞれ水槽、灌水用の水足し注水用に転用でき、簡易で安価に水位管理ができる水槽または水受け容器用の水足し注水用水位調整装置として使用できる。【００１６】  また、第２の解決手段の貯水容器の最低水位が、水槽または水受け容器の管理水位より上位位置で該貯水容器を載置できるように、貯水容器載置台及びその内部に載置部を設けると共に貯水容器の高さ位置を適宜変更可能なように、該載置部の位置を変更可能に設けたことにより、
水位調整するための貯水容器の載置高さが容易に変更できるので、貯水容器の水をサイホン管により使用用途に合わせて各水受け容器へ送水でき、よって水位管理が容易となり、またその貯水容器の載置高さを変更する貯水容器載置台を貯水容器のカバーとして使用できるので、無機質な容器をむき出しで使用することなく、特に部屋置きなどでは、デザインを考慮した装飾品としても使用できる。【００１７】  さらに、第３の解決手段の管理水位の水槽を、観賞魚などの飼育用水槽としたことにより、
観賞魚などの飼育用水槽の水位管理ができるので、特に小さい金魚鉢などは水量が少なくなるのが早く、水位低下による酸素不足で観賞魚などを死なせることなく、また旅行などで長期に家を留守にするときなど、特に効果的に使用できる。【００１８】  加えて、第４の解決手段の管理水位の水受け容器を、腰水用の水盤としたことにより、
腰水用の水盤の水位管理ができるので、水盤の中の腰水用植木鉢で植栽される植物の灌水管理が容易となり、また旅行などで長期に家を留守にするときなど、特に効果的に使用できる。【００１９】  さらに加えて、第５の解決手段の植木鉢用の水受け容器として該植木鉢の用土の中、またはその近傍に設け、該水受け容器から植木鉢に灌水できるように、該水受け容器を浸潤する容器体として植木鉢の用土に埋設状に配置し、若しくは毛細管現象を有する灌水紐を該水受け容器と植木鉢に架設状に設けると共に該灌水紐のそれぞれの端部が、水受け容器の水と植木鉢の用土に埋設状に配置するように設けたことにより、
植木鉢用の灌水管理ができるので、植木鉢で植栽される植物の灌水管理が容易となり、また旅行などで長期に家を留守にするときなど、特に効果的に使用できる。【００２０】  これらのことから、水足し注水用または灌水用として、それぞれ水槽、水盤、水受け容器に転用でき、簡易に水位管理ができる水槽、水盤または水受け容器用の水足し注水用水位調整装置として使用できるので、本発明は、実用上著大な効果を奏するものである。
【図面の簡単な説明】
【００２１】
【図１】  本発明の腰水用植木鉢に使用する第一実施例の要部切断の正面図である。
【図２】  本発明の第一実施例の腰水用水盤８の要部の断面図である。
【図３】  本発明の第一実施例の水位調整装置１の要部の断面図である。
【図４】  本発明を植木鉢用に使用する第二実施例の要部切断の正面図である。
【図５】  本発明の第二実施例の植木鉢１５の要部の断面図である
【図６】  本発明を植木鉢用に使用する第二実施例の他の実施例の要部切断の正面図である。
【図７】  本発明を水槽用に使用する第三実施例の要部切断の正面図である。
【図８】  本発明の貯水容器載置台５の要部を示す正面断面図である。
【図９】  本発明の高さ調整用の載置部材１２ａの平面図である。
【図１０】  本発明の貯水容器載置台５の正面断面図である。
【発明を実施するための形態】
【００２２】  第一に、貯水容器にサイホン管を連通すると共に該サイホン管の排水口が水槽または水受け容器に注水できるように設け、該水槽または水受け容器の適正水位を管理水位とし、また該水槽または水受け容器の水位を設定する水位調節管の先端を、該水槽または水受け容器の管理水位位置に配置し、該基端側を上記貯水容器の空間位置に挿通すると共に該貯水容器の最低水位を上記管理水位より上位となるように貯水容器載置台に載置したことで、観賞魚などの飼育用水槽用、灌水用の植木鉢または腰水用植木鉢の水受け容器として、それぞれ水槽、灌水用の水足し注水用に転用でき、簡易に水位管理ができる水槽または水受け容器用の水足し注水用水位調整装置を実現させた。
【００２３】  また第二に、貯水容器の載置高さを、所定位置に載置できるように、貯水容器載置台を設けると共にその高さ位置を適宜変更可能なように、該載置台内部に載置部を変更可能に設けたことで、使用用途に合わせて、水位調整するための貯水容器の載置高さが容易に変更でき、またその貯水容器載置台を貯水容器のカバーとして使用できる水槽または水受け容器用の水足し注水用水位調整装置を実現させた。
【００２４】  また第三に、管理水位の水槽を、観賞魚などの飼育用水槽としたことで、観賞魚などの飼育用水槽の水位管理ができ、水位低下による酸素不足で観賞魚などを死なせることなく、また旅行などで長期に家を留守にするときなどに使用できる水槽または水受け容器用の水足し注水用水位調整装置を実現させた。
【００２５】  また第四に、管理水位の水受け容器を、腰水用の水盤としたことで、腰水用の水盤の水位管理ができるので、水盤の腰水用植木鉢で植栽される植物の灌水管理ができ、また旅行などで長期に家を留守にするときなどに使用できる水槽または水受け容器用の水足し注水用水位調整装置を実現させた。
【００２６】  また第五に、水受け容器から植木鉢に灌水できるように、該水受け容器を浸潤する容器体を植木鉢の用土に埋設状に配置し、若しくは毛細管現象を有する灌水紐を該水受け容器と植木鉢に架設状に設けると共に該灌水紐の両端が水受け容器の水と植木鉢の用土に埋設状に配置したことで、植木鉢用の灌水管理ができ、また旅行などで長期に家を留守にするときなどに使用できる水槽または水受け容器用の水足し注水用水位調整装置を実現させた。
【実施例】
【００２７】  本発明の第一の実施例を図面に基づいて説明すると、図１において、植木鉢を腰水で使用する実施例で、１は水位調整装置で、該水位調整装置１は、貯水容器２、サイホン管３、水位調節管４、貯水容器載置台５を有している。【００２８】  そこで、該水位調整装置１の貯水容器２は、ペットボトルなどの容器体を使用し、該貯水容器２の口部６に密閉栓７を嵌合させ、該密閉栓７より貯水容器２内にサイホン管３及び水位調節管４をそれぞれ挿通し、そして挿通される該サイホン管３は貯水容器２の底部近傍と、水位調節管４は密閉栓７近傍の貯水容器２内の空間部にそれぞれ配設している。【００２９】  またそのサイホン管３及び水位調節管４の他方の先端側において、該サイホン管３の先端口３ａは、水受け容器である腰水用水盤８内の底部近傍に配設し、また水位調節管４の先端口４ａは、腰水用水盤８の管理水位の水面９にそれぞれ配設すると共に前記それぞれの位置に保持できるように、図２で示す、腰水用水盤８の上端縁に管固定具１０でサイホン管３と共に水位調節管４を保持している。【００３０】  なお、図１に示す貯水容器２の口部６に、図３に示すように保持キャップ１１を該口部６に冠着して、サイホン管３及び水位調節管４を該口部６近傍に保持している。【００３１】  また、図１及び図３に示す貯水容器載置台５は、筒状で該貯水容器載置台５内に載置部１２を設け、該載置部１２の高さ位置は、載置される貯水容器２の底部位置に対応するその内有される水の最小水位位置が、前記腰水用水盤８の管理水位の水面９より高い位置で該貯水容器２を載置できるように設定される。【００３２】  また、図１及び図２に示す腰水用植木鉢１３は、腰水用水盤８内で浸潤により灌水される腰水用植木鉢１３で、苔その他水を多く好む植物が植栽される。【００３３】  しかして、本発明の第二の実施例の植木鉢用の水位調整装置１は、上記第一実施例と同様のもので、相違点において、図４及び図５に示すように、前記水受け容器の腰水用水盤８に換えて埋設浸潤容器１４とし、該埋設浸潤容器１４を植木鉢用としている。【００３４】  そこで、該埋設浸潤容器１４は、上記第一実施例で説明したサイホン管３及び水位調節管４と、本実施例の埋設浸潤容器１４の関係が略同様の構成であり、相違において、微少穴が多数有する素焼き、伊予石などで埋設浸潤容器１４を形成し、該埋設浸潤容器１４から水が浸潤することにより植木鉢１５の用土に自動で灌水する。【００３５】  また、埋設浸潤容器１４の浸潤する容器体は、素焼きまたは自然石の伊予石など微少穴を多数有することで、該埋設浸潤容器１４内の水が湿潤により容器外へ染み出して植木鉢の用土に灌水する。【００３６】  なお、図４及び図５の管固定具１０ａは、上記第一の実施例の管固定具１０と略同様の機能で使用され、具体的には図５に示すように、植木鉢１５の上端部に挟持すると共にサイホン管３及び水位調節管４をそれぞれ所定位置に保持している。【００３７】  しかして、上記第二の実施例に関連する他の実施例で、図６に示すように、上述植木鉢１５に埋設する埋設浸潤容器１４に換えて植木鉢用水受け容器１６とし、該植木鉢用水受け容器１６を植木鉢１５の外周上端部に設けている。【００３��】  該植木鉢用水受け容器１６は、上記埋設浸潤容器１４と略同様で、相違において、灌水紐１７の毛細管を利用して該灌水紐１７の浸潤により植木鉢１５の用土に灌水する。【００３９】  そこで、該灌水紐１７は、不織布など毛細管を利用して浸潤するもので、灌水紐１７の一方端を植木鉢用水受け容器１６内に水没させると共に他端を植木鉢１５の用土に埋設して該灌水紐１７の浸潤により灌水する。
これは上述第二実施例の埋設浸潤容器１４が、湿潤により植木鉢１５の用土に自動で灌水することと略同様である。【００４０】  また、植木鉢用水受け容器１６を植木鉢１５に保持することにおいて、管固定具１０ｂで植木鉢１５の外周上端部に挟持すると共にサイホン管３及び水位調節管４をそれぞれ保持させ、該灌水紐１７は、植木鉢用水受け容器１６と植木鉢１５に架設状に設けると共に管固定具１０ｂから逆Ｌ字型に突出する灌水紐誘導管１８により、該灌水紐１７を植木鉢１５の用土に埋設させると共に該灌水紐１７から中途で水の蒸発を防いで使用する。【００４１】  しかして、本発明の第三の実施例の水槽用の注水管理に使用するものを図面に基づいて説明すると、図７において、水位調整装置１は上記第一実施例と同様で、前記水受け容器に対応する第一及び第二実施例の腰水用水盤８、埋設浸潤容器１４、植木鉢用水受け容器１６に対して水槽１９としている構成が相違する。【００４２】  そこで、該水槽１９は、一般的に市販される観賞魚などの飼育用角形の水槽を例示し、該水槽１９の上部に蓋２０を載置して、該蓋２０に挿通するように上記サイホン管３及び水位調節管４をそれぞれ挿入し、該蓋２０で管理水位位置の水面９にサイホン管３と共に水位調節管４を保持している。【００４３】  また、該水槽１９の管理水位の設定において、該水槽１９の管理水位に合わせて貯水容器２の高さを貯水容器載置台５の載置部材１２ａの位置により調整する。【００４４】  その高さ調整は、図８に示すように、筒状の貯水容器載置台５に所定間隔で外周から貫通するように支持穴２１，２１，…が開設され、該所定位置の支持穴２１，２１に載置部材１２ａを挿通して、該載置部材１２ａの上に貯水容器２が載置されることで行われる。
なお、図８及び図９に示す載置部材１２ａは、板状で基単側にストッパー２２が設けられている。【００４５】  また、図１０に示す他の高さ調整の貯水容器載置台５において、あらかじめ設定される二通りの高さ位置を貯水容器載置台５内の載置部１２の位置で求められるように、貯水容器載置台５の各両端からの距離を、図示するＡ，Ｂの所定位置に設定して載置部１２を設け、貯水容器載置台５を天地逆転させて使用することで、載置部１２の高さが変わることで簡易に高さ調整ができる。【００４６】  しかして、第一の実施例の腰水用の植木鉢１３に、水位調整装置１及び腰水用水盤８を使用するときの水位調整において、貯水容器２内の水がサイホン管３を通して腰水用水盤８内に注水され、一方、そのサイホン管３を通して注水されることで、先端口４ａから空気が貯水容器２に流入し、そして、図２に示すように該腰水用水盤８の水位が上って水位調節管４の先端口４ａに水面９が接っすると、貯水容器２に流入している空気が水面９の上昇により先端口４ａが塞がれて止まり、貯水容器２に流入している空気が止まると、該貯水容器２内の気圧が負圧となり、サイホン管３を通して腰水用水盤８内の注水も止まり、注水が止まることで管理水位が調整できる。【００４７】  この一連の動きで、水足し注水用の水位調整装置１として使用しており、そして該管理水位に調整された腰水用水盤８内で浸潤により灌水される腰水用植木鉢１３で、苔その他水を多く好む植物が植栽される。【００４８】  また、第二、第三のそれぞれの実施例も同様に、植木鉢１５用の埋設浸潤容器１４及び植木鉢用水受け容器１６の水面９の水位、また水槽１９の水面９の水位のそれぞれ管理水位に調整され、植木鉢１５及び観賞魚などの飼育用水槽１９の水足し注水用の水位調整装置１として使用される。【００４９】  なお、貯水容器載置台５の載置部１２及び載置部材１２ａを設けず、該貯水容器載置台５内部に求める所定高さの載置台を適宜、内設することで、簡易に高さ調整しても好ましいが、図示は省略した。【００５０】  また、貯水容器載置台５の外周面に、写真またはデザインされた色彩などを施すことで、部屋置き、特に、近年、注目されるミニ盆栽、苔玉などの灌水に水位調整装置１を使用するとき、デザインされた貯水容器載置台５を使用することで、部屋の雰囲気を壊すことなく使用できる。【００５１】  さらに、上記腰水用の水受け容器または植木鉢用の水受け容器用または観賞魚などの飼育用水槽に限らず、灌水または水足し注水など、貯水容器に対応する容量の容器の水位管理に使用しても良いが、特に図示は省略した。
【産業上の利用可能性】
【００５２】  本発明の水足し注水用水位調整装置は、各灌水及び水足しの管理が自動で行われるので、腰水用の水受け容器の水盤、植木鉢用の水受け容器または観賞魚などの飼育用水槽の灌水または水足し注水用に使用できる。
【符号の説明】
【００５３】    １  水位調整装置
２  貯水容器
３  サイホン管
４  水位調節管
５  貯水容器載置台
８  腰水用水盤
９  水面
１０、１０ａ、１０ｂ  管固定具
１２  載置部
１２ａ  載置部材
１３  腰水用植木鉢
１４  埋設浸潤容器
１５  植木鉢
１６  植木鉢用水受け容器
１７  灌水紐
１９  水槽
２１  支持穴。
【図１】
2011139695.tif 000003
【図２】
2011139695.tif 000004
【図３】
2011139695.tif 000005
【図４】
2011139695.tif 000006
【図５】
2011139695.tif 000007
【図６】
2011139695.tif 000008
【図７】
2011139695.tif 000009
【図８】
2011139695.tif 000010
【図９】
2011139695.tif 000011
【図１０】
2011139695.tif 000012